(57)【要約】      （修正有）【課題】砂漠緑化対策海水蒸発用運河を提供する。【解決手段】閘門を有したコンクリート壁運河で構成する。海水淡水化装置などをコンクリート壁に具備する。【選択図】図１
0003167580.tif 000002
【実用新案登録請求の範囲】
【請求項１】
砂漠の交通手段とするパナマ運河に似せた三段式閘門、一段式閘門、二段式閘門を有した砂漠緑化対策海水蒸発用運河。
【請求項２】
海水淡水化装置を具備した事を特徴とする請求項１記載の砂漠緑化対策海水蒸発用運河。
【請求項３】
水族館を具備した事を特徴とする請求項１記載の砂漠緑化対策海水蒸発用運河。
【請求項４】
土壌汚染対策のコンクリート壁で建造された事を特徴とする請求項１記載の砂漠緑化対策海水蒸発用運河。
【考案の詳細な説明】
【技術分野】
【０００１】
本考案は、従来の砂漠緑化対策海水蒸発用運河に関する。
【背景技術】
【０００２】
ドバイ国の砂漠緑化対策海水蒸発用運河があります。
【考案の概要】
【考案が解決しようとする課題】
【０００３】
しかしながら、ドバイ国の砂漠緑化対策海水蒸発用運河は、大洋海面の高さと蒸発用運河海水面高さが等しい処以外の国土砂漠には海水が到らないという欠点がある。
【０００４】
本考案は、上記実情に鑑みてなされたものであり、蒸発用運河海面高さが大洋海面より高められた砂漠緑化対策海水蒸発用運河である。
【課題を解決するための手段】
【０００５】
上記目的を達成するため考案は、蒸発用運河海面高さを高めた国土砂漠の海岸高さに対応した砂漠緑化対策海水蒸発用運河として次の構成を含むことを特徴としている。パナマ運河もどきと称するパナマ運河に似せた三段式閘門、一段式閘門、二段式閘門を有し、海水淡水化装置を具備し淡水の使用、水族館による海洋生物の保護、土壌汚染対策のコンクリート壁で砂漠緑化対策海水蒸発用運河を構成している。
【考案の効果】
【０００６】
本考案により、大洋海面の高さと蒸発用運河海面高さの差異がある砂漠緑化対策海水運河にできる。砂漠の交通手段運河で建設機械の運搬が可能となる。
【図面の簡単な説明】
【０００７】
【図１】本考案の砂漠緑化対策海水蒸発用運河である。砂漠緑化対策海水蒸発用運河は図１に示すように、大洋海１、１´パナマ運河２、２´蒸発用水運河３、海水淡水化装置４、水族館５である。
【考案を実施するための形態】
【０００８】
本考案の実施の形態の一例について、図面を参照しながら説明する。
砂漠緑化対策海水蒸発用運河は、図１に示すように、大洋海１、１´の海水をパナマ運河もどき２、２´により海水面の高さの差異を調整して蒸発用水運河３、海水淡水化装置４、水族館５を運用するものである。
【符号の説明】
【０００９】
１．１´  大洋海
２．２´  パナマ運河もどき
３．      蒸発用水運河
４．      海水淡水化装置
５．      水族館
【図１】
0003167580.tif 000003
【手続補正書】
【提出日】平成22年7月21日(2010.7.21)
【手続補正１】
【補正対象書類名】実用新案登録請求の範囲
【補正対象項目名】全文
【補正方法】変更
【補正の内容】
【実用新案登録請求の範囲】
【請求項１】
海から砂漠への交通手段である船をパナマ運河で知られる三段式閘門、一段式閘門、二段式閘門を設けた運河で海水蒸発量調査に運行させるための砂漠緑化対策海水蒸発用運河。
【請求項２】
海水蒸発量調査船でのニーズに対応した上水道に採用されている海水淡水化装置、施設を具備した事を特徴とする請求項１記載の砂漠緑化対策海水蒸発用運河。
【請求項３】
海水蒸発量調査船でのニーズ生物指標、海水生物の保護のための水族館とその運用施設を具備した事を特徴とする請求項１記載の砂漠緑化対策海水蒸発用運河。
【請求項４】
土壌汚染対策のコンクリート壁で建造された事を特徴とする請求項１記載の砂漠緑化対策海水蒸発用運河。
【手続補正書】
【提出日】平成22年9月17日(2010.9.17)
【手続補正１】
【補正対象書類名】実用新案登録請求の範囲
【補正対象項目名】全文
【補正方法】変更
【補正の内容】
【実用新案登録請求の範囲】
【請求項１】
海から砂漠への交通手段である船をパナマ運河で知られる海水の水位を蒸発に最適の砂漠の水位に昇降できる三段式閘門、一段式閘門、二段式閘門を設けたコンクリート壁運河で海水蒸発量調査に運行させるための砂漠緑化対策海水蒸発用運河。
【請求項２】
海水蒸発量調査船でのニーズに対応した上水道に採用されている海水淡水化装置、施設を運河のコンクリート壁に具備した事を特徴とする請求項１記載の砂漠緑化対策海水蒸発用運河。
【請求項３】
海水蒸発量調査船でのニーズ生物指標、海水生物の保護のための水族館とその運用施設を運河のコンクリート壁に具備した事を特徴とする請求項１記載の砂漠緑化対策海水蒸発用運河。
【請求項４】
土壌汚染対策のコンクリート壁で建造された事を特徴とする請求項１記載の砂漠緑化対策海水蒸発用運河。
【手続補正書】
【提出日】平成22年11月5日(2010.11.5)
【手続補正１】
【補正対象書類名】実用新案登録請求の範囲
【補正対象項目名】全文
【補正方法】変更
【補正の内容】
【実用新案登録請求の範囲】
【請求項１】
海から砂漠への交通手段である船を閘門式パナマ運河で知られる海水の水位を蒸発に最適の水位に閘門により整えたコンクリート壁運河で海水蒸発量調査に運行させるための砂漠緑化対策海水蒸発用運河。
【請求項２】
海水蒸発量調査船でのニーズに対応した上水道に採用されている海水淡水化装置、施設の取水路、放水路を閘門によって静水化された長さ方向のコンクリート壁運河に具備した事を特徴とする請求項１記載の砂漠緑化対策海水蒸発用運河。
【請求項３】
海水蒸発量調査船でのニーズ生物指標海洋生物の保護のための水族館とその運用施設の取水路、放水路、連絡路を閘門によって静水化された長さ方向のコンクリート壁運河に具備した事を特徴とする請求項１記載の砂漠緑化対策海水蒸発用運河。
【請求項４】
土壌汚染対策のコンクリート壁で建造された事を特徴とする請求項１記載の砂漠緑化対策海水蒸発用運河。
【手続補正書】
【提出日】平成23年1月6日(2011.1.6)
【手続補正１】
【補正対象書類名】実用新案登録請求の範囲
【補正対象項目名】全文
【補正方法】変更
【補正の内容】
【実用新案登録請求の範囲】
【請求項１】
パナマ運河で知られる海水の水位を蒸発に最適の水位に閘門を有したコンクリート壁運河により整えて海水蒸発量調査に船を運行させるための砂漠緑化対策海水蒸発用運河。
【請求項２】
海水蒸発量調査船での生活水のニーズに対応した市水上水道に採用されている海水淡水化装置それに必要な取水路、放水路とのその施設を運河の長さ方向コンクリート壁に具備した事を特徴とする請求項１記載の砂漠緑化対策海水蒸発用運河。
【請求項３】
生物指標海洋生物の保護のための水族館とその運用施設を運河の長さ方向コンクリート壁に具備した事を特徴とした請求項１記載の砂漠緑化対策用海水蒸発用運河。
【請求項４】
土壌汚染対策のコンクリート壁で建造された事を特徴とする請求項１記載の砂漠緑化対策海水蒸発用運河。
【手続補正書】
【提出日】平成23年3月8日(2011.3.8)
【手続補正１】
【補正対象書類名】実用新案登録請求の範囲
【補正対象項目名】請求項１
【補正方法】変更
【補正の内容】
【請求項１】
海面との水位を整えるパナマ運河で知られる閘門を有したコンクリート壁運河で構成した砂漠緑化対策海水蒸発用運河。